(57)【要約】【課題】人間の「馴れ」を考慮して確実な目覚めを促すことができる目覚時計の提供する。【解決手段】複数のアラーム音に関する情報を記憶する音声記憶部２３と、上記アラーム音の出力中に操作者が当該アラーム音の出力を停止させるための停止スイッチ７と、上記アラーム音の出力と略同時期から上記停止スイッチ７が操作されるまでの時間を計測する時間計測部２１と、上記時間計測部２１の計測結果に基づいて上記音声記憶部２３に記憶された複数の情報の中から少なくとも一の情報を選択し、当該選択結果に基づいて次回のアラームにおける出音手段２７の制御を行う制御回路１５とを備えたことにより、出力されるアラーム音を操作者が任意に選択することができないため、毎回同じアラーム音が出力されることによる「馴れ」を防止することができ、確実な目覚めを促すことができる。【選択図】図２
2004340776.tif 000002
【特許請求の範囲】
【請求項１】
時刻を計時する計時手段と、アラーム音を出力する出音手段と、上記アラーム音を出力させる時刻を操作者が設定するためのアラーム時刻設定手段とを備え、上記計時手段で計時される時刻が上記アラーム時刻設定手段により設定された時刻になったときにアラーム音を出力する目覚時計であって、複数のアラーム音に関する情報を記憶する記憶手段と、上記アラーム音の出力中に操作者が当該アラーム音の出力を停止させるための停止操作手段と、上記アラーム音の出力と略同時期から上記停止操作手段が操作されるまでの時間を計測する時間計測手段と、上記時間計測手段の計測結果に基づいて上記記憶手段に記憶された複数の情報の中から少なくとも一の情報を選択し、当該選択結果に基づいて次回のアラームにおける出音手段の制御を行う制御手段とを備えたことを特徴とする目覚時計。
【請求項２】
上記制御手段は、前回選択した情報とは異なる情報を選択する請求項１記載の目覚時計。
【請求項３】
上記記憶手段において、上記情報は、それぞれ複数の情報が属する複数の情報群を構成するとともに、各情報群において、各情報と上記計測結果とが対応関係をなすよう記憶されている請求項２記載の目覚時計。
【請求項４】
上記制御手段は、前回選択した情報が属さない情報群の中から情報を選択する請求項３記載の目覚時計。
【発明の詳細な説明】
【０００１】
【発明の属する技術分野】
本発明は、操作者を確実に目覚めさせることができる目覚時計に関するものである。
【０００２】
【従来の技術】
従来、目覚時計は、操作者（使用者を含む）が設定したアラーム時刻にアラーム音（アラーム音声）を出力し、いわゆる鳴り止めスイッチやスヌーズスイッチ等の停止スイッチを操作することによりアラーム鳴り止めやスヌーズを実行するようになっている。このような目覚時計に関する先行技術文献として出願人が把握しているものとして、下記の特許文献１がある。
【０００３】
【特許文献１】
特開平１０−４８３６６号
【０００４】
【発明が解決しようとする課題】
しかしながら、従来の目覚時計はアラーム音がいつも同じであることから、操作者がそのアラーム音に慣れてしまい、徐々に停止スイッチを止めるのに時間がかかるようになる。そして、あげくのはてには、無意識のうちに停止スイッチを操作してアラーム音の出力（アラーム報知）を停止させ、結果的に確実に目覚められずに寝過ごしてしまうようなことも多々生じていた。
【０００５】
上記特許文献１の時計は、乱数に応じた音声データを指定して報知を行うが、単に面白みを付与するため、スヌーズの実行により音声を変えるだけである。また、単純に毎日異なる音声のアラーム報知が行われるだけでは、使用者はその状態にも慣れてしまい、結果的に、徐々に停止スイッチを止めるのに時間がかかるようになり、最終的に確実に目覚められないことになっていた。
【０００６】
このように、従来の目覚時計は、人間の「馴れ」を考慮に入れたアラーム報知を行うものはなく、アラーム音を変えたとしても「馴れ」によって確実な目覚めができなくなってしまうものであった。
【０００７】
本発明は、このような事情に鑑みなされたもので、人間の「馴れ」を考慮して確実な目覚めを促すことができる目覚時計の提供を目的とする。
【０００８】
【課題を解決するための手段】
上記目的を達成するため、本発明の目覚時計は、時刻を計時する計時手段と、アラーム音を出力する出音手段と、上記アラーム音を出力させる時刻を操作者が設定するためのアラーム時刻設定手段とを備え、上記計時手段で計時される時刻が上記アラーム時刻設定手段により設定された時刻になったときにアラーム音を出力する目覚時計であって、複数のアラーム音に関する情報を記憶する記憶手段と、上記アラーム音の出力中に操作者が当該アラーム音の出力を停止させるための停止操作手段と、上記アラーム音の出力と略同時期から上記停止操作手段が操作されるまでの時間を計測する時間計測手段と、上記時間計測手段の計測結果に基づいて上記記憶手段に記憶された複数の情報の中から少なくとも一の情報を選択し、当該選択結果に基づいて次回のアラームにおける出音手段の制御を行う制御手段とを備えたことを要旨とする。
【０００９】
すなわち、本発明の目覚時計では、制御手段は、時間計測手段の計測結果に基づいて記憶手段に記憶された複数の情報の中から少なくとも一の情報を選択し、当該選択結果に基づいて次回のアラームにおける出音手段の制御を行う。したがって、出力されるアラーム音を操作者が任意に選択すること（例えば、好みのアラーム音に設定すること等）ができないため、毎回同じアラーム音が出力されることによる「馴れ」を防止することができる。また、アラーム音の出力と略同時期から停止操作手段が操作されるまでの時間が計測され、その計測結果に基づいてアラーム音が出力されるため、出力されるアラーム音を変更することができる。
【００１０】
本発明の目覚時計において、上記制御手段は、前回選択した情報とは異なる情報を選択する場合には、前回出力されたアラーム音とは異なるアラーム音が出力されるため、前回出力されたアラーム音と同じアラーム音が出力されることによる「馴れ」が生じることを防止することができる。
【００１１】
本発明の目覚時計において、上記記憶手段において、上記情報は、それぞれ複数の情報が属する複数の情報群を構成するとともに、各情報群において、各情報と上記計測結果とが対応関係をなすよう記憶されている場合には、複数の情報群の中から所定の情報群を選択し、その選択した情報群の中から上記計測結果に対応した情報を選択することができる。これにより、毎回選択する情報群を変更することで前回出力されたアラーム音と同じアラーム音が出力されることを防止することができる。
【００１２】
本発明の目覚時計において、上記制御手段は、前回選択した情報が属さない情報群の中から情報を選択する場合には、更に、前回出力されたアラーム音と同じアラーム音が出力されることを防止することができる。
【００１３】
【発明の実施の形態】
つぎに、本発明の実施の形態を詳しく説明する。
【００１４】
図１および図２は、本発明の目覚時計の一実施の形態を示す図である。
【００１５】
図１は、上記目覚時計の外観を示す斜視図である。図１（ａ）は目覚時計１の前面から見た斜視図を示し、図１（ｂ）は目覚時計１の背面から見た斜視図を示す。図１（ａ）に示すように、本実施例の目覚時計１は、時計本体ケース２と、この時計本体ケース２の前面に配設された文字盤３と、この文字盤３の中心に突設され、後述の計時回路１９により駆動する時計軸４と、この時計軸４に固定され、該時計軸４の回転動作により時刻を表示する時計針（後述の分針５ａと時針５ｂ）およびアラーム時刻を表示するアラーム時刻表示針６と、時計ケース２の上面に設けられた後述の停止スイッチ（ＳＷ）７と、時計ケース２の前面の右下方に設けられた放音口８とから構成されている。この放音口８の内側には、後述のアラーム音声（アラーム音）を出力するスピーカ９が設けられている。
【００１６】
停止スイッチ７は、上記アラーム音の出力中に操作者が当該アラーム音の出力を停止させるための停止操作手段である。また、アラーム報知が開始され、時間計測が開始されている場合に停止スイッチ７を操作することにより後述の時間計測を終了する。
【００１７】
後述の計時回路１９（図２）は、時計軸４を駆動させる駆動装置（図示しない）等により構成される。駆動装置には、モータ駆動の計時機構が収納されており、この計時機構に時計軸４が接続され、時計軸４の先端には、長針の分針５ａと短針の時針５ｂが装着されている。そして、この時計軸４は計時機構により回転駆動されることで計時する。この時計軸４の回転に伴なって文字盤３上を分針５ａおよび時針５ｂが所要の回転角度となり、文字盤３上の指標を指し示して時刻を表示している。図１（ａ）おいて、時刻は、分針５ａおよび短針の時針５ｂにより８時００分であることを示す。
【００１８】
また、上述のアラーム時刻表示針６は、時計軸４に装着され、操作者（使用者を含む）が後述のアラーム時刻設定スイッチ１１を操作することで、アラーム時刻を指し示すように回転される。ここで、アラーム時刻とは、後述のアラーム音声データ決定処理により決定（選択）されたアラーム音声が出力される時刻である。アラーム音声は、分針５ａおよび短針の時針５ｂにより示された時刻とアラーム時刻が一致することで出力が開始（アラーム報知開始）される。なお、図１（ａ）では、アラーム時刻は、アラーム時刻表示針６により６時００分であることを示す。
【００１９】
つぎに、図１（ｂ）に示すように、目覚時計１の背面には、分針５ａと時針５ｂを操作するための時刻設定スイッチ（ＳＷ）１０と、操作者がアラーム時刻表示針６を操作する、すなわち、アラーム音を出力させる時刻を操作者が設定するためのアラーム時刻設定手段であるアラーム時刻設定スイッチ（ＳＷ）１１と、動作位置によりアラーム音声を出力可能状態にするか否かを決定するためのスライド式のアラームセットスイッチ（ＳＷ）１２が設けられている。
【００２０】
詳細には、使用者は、アラーム音声を出力させない場合にはアラームセットスイッチ１２を図示の「ＯＦＦ」の位置に設定しておき、アラーム音声を出力させる場合には当該スイッチを図示の「ＯＮ」の位置に設定することで、アラーム音声を出力可能状態にするか否かを決定することができる。なお、図示においては、アラームセットスイッチ１２は「ＯＮ」の位置に設定されている。
【００２１】
図２は、目覚時計１の動作を制御する制御回路１５と、時刻を計時する計時手段である計時回路１９と、図１に示す文字盤３、分針５ａ、時針５ｂおよびアラーム時刻表示針６を含む時刻表示部２０と、アラーム音声の出力と略同時期（同時を含む）から停止スイッチ７が操作されるまでの時間を計測する時間計測手段である時間計測部２１と、複数のアラーム音声に関する情報（後述のアラーム音声データ）を記憶する記憶手段である音声記憶部２３と、制御回路１５から送信される制御指令に基づいてアラーム音声をスピーカ９から音として出力させる音声出力回路２５とを含む回路構成を示す。音声出力回路２５とスピーカ９で出音手段が構成される。なお、時刻表示部２０は、上述のように長針および短針によって時刻をアナログ的に表示するものに限られず、デジタル表示等によって時刻を表示するものであってもよい。
【００２２】
制御回路１５は、予め設定されたプログラムに従って制御動作を行うＣＰＵ１６と後述のアラーム音声データ決定テーブル等が格納されるＲＯＭ１７および選択したアラーム音声データを一時的に記憶するＲＡＭ１８等を備える。これにより、制御回路１５は、時間計測部２１の計測結果に基づいて音声記憶部２３に記憶された複数のアラーム音声データの中から少なくとも一のアラーム音声データを選択し、その選択結果に基づいて音声出力回路２５とスピーカ９を制御する制御手段を構成する。したがって、出力されるアラーム音を操作者が任意に選択すること（例えば、好みのアラーム音声に設定すること等）ができないため、毎回同じアラーム音声が出力されることによる「馴れ」を防止することができる。また、アラーム音声の出力と略同時期（同時を含む）から停止スイッチ７が操作されるまでの時間が計測され、その計測結果に基づいてアラーム音が出力されるため、出力されるアラーム音声は、自動的に変更される。
【００２３】
計時回路１９は、時刻設定スイッチ１０またはアラーム時刻設定スイッチ１１の操作に応じて制御回路１５に制御される。また、計時回路１９は、アラームセットスイッチ１２が「ＯＮ」に設定され、アラーム音声を出力可能状態にされている場合には分針５ａおよび時針５ｂにより示された時刻とアラーム時刻が一致した場合に制御回路１５に現在の時刻がアラーム時刻であることを示す信号（以下「アラーム信号」という）を送信する。すなわち、計時回路１９で計時される時刻がアラーム時刻設定スイッチ１１により設定されたアラーム時刻になったときにアラーム音が出力される。なお、計時回路１９は、アラームセットスイッチ（ＳＷ）１２が「ＯＦＦ」に設定され、アラーム音声を出力可能状態にされていない場合には制御回路１５へアラーム信号は送信しない。
【００２４】
時刻設定スイッチ１０、アラーム時刻設定スイッチ１１および停止スイッチ７は、使用者の操作に応じてＣＰＵ１６へ操作に応じた信号を送信可能に制御回路１５に接続されている。
【００２５】
制御回路１５は、上記アラーム信号により後述のアラーム音声データ決定処理において選択されたアラーム音声データに基づいて音声出力回路２５を制御するとともに時間計測部２１へ「時間計測開始信号」を送信する。この「時間計測開始信号」は、時間計測部２１において時間の計測を開始させる信号である。時間計測部２１の時間計測中に停止スイッチ７が操作されると、制御回路１５は、時間計測部２１へ「時間計測終了信号」を送信する。この「時間計測終了信号」は、時間計測部２１において時間の計測を終了させる信号である。時間計測部２１は、時間の計測を終了すると、その計測結果、すなわち、時間計測の開始から終了までの時間を制御回路１５へ送信する。そして、制御回路１５は、時間計測部２１の計測結果を上記ＲＡＭ１８に格納する。
【００２６】
つぎに、図３を参照して、アラーム音声データ決定テーブルについて説明する。このアラーム音声データ決定テーブルは、制御回路１５（具体的には、ＣＰＵ１６）が次回アラーム報知を行う場合に出力されるアラーム音声データを選択するときに使用される。本実施例では、出力されるアラーム音声は５０種類設けられている。すなわち、アラーム音に関する情報であるアラーム音声データがアラーム１からアラーム５０まで５０種類設けられている。これらのアラーム音声データは、それぞれアラーム音声として出力された場合の音色、音の高さ及び音量等が異なるデータである。なお、アラーム音に関する情報としてアラーム音声データを採用しているが、これに限られず、アラーム音に関する音信号等を採用してもよい。
【００２７】
アラーム音声データは、１０種類ずつＡ，Ｂ，Ｃ，Ｄ，Ｅに５つの情報群（グループ）に区分され、それぞれの時間間隔（秒）に対応している。すなわち、音声記憶部２３において、アラーム音声データは、それぞれ複数のアラーム音声データが属する複数の情報群を構成するとともに、各情報群において、各アラーム音声データと時間計測部２１の計測結果とが対応関係をなすよう記憶されている。したがって、制御回路１５は、複数の情報群の中から所定の情報群を選択し、その選択した情報群の中から時間計測部２１の計測結果に対応した情報を選択することができる。これにより、選択する情報群を変更することで前回出力されたアラーム音と同じアラーム音が出力されることを防止することができる。
【００２８】
アラーム音の出力と略同時期から停止スイッチ７が操作されるまでの時間が長い程、音量レベルの大きいアラーム音を出力可能なアラーム音声データであり、アラーム音の出力と略同時期から停止スイッチ７が操作されるまでの時間が短い程、爽やかな目覚めを促すようなアラーム音を出力可能なアラーム音声データである。具体的には、時間間隔が０秒〜１０秒に対応するアラーム音声データよりも時間間隔が９１秒〜に対応するアラーム音声データの方が音量レベルの大きいアラーム音を出力可能なアラーム音声データである。これにより、好適にアラーム音声を出力させることができる。
【００２９】
本発明の目覚時計１では、アラーム音声データは、前回決定されたアラーム音声データとは異なるアラーム音声データに決定されるようになっている。すなわち、制御回路１５は、前回選択した情報（アラーム音声データ）とは異なる情報を選択する。これにより、前回出力されたアラーム音声とは異なるアラーム音声が出力され、同じアラーム音が続くことによる「馴れ」が生じることを防止することができる。具体的には、アラーム音声データが前回Ａグループのいずれかのアラーム音声データ（アラーム１〜アラーム１０）に決定された場合において、時間計測部２１の計測結果（時間）が、例えば１０秒であったとき、アラーム音声データは、Ｂグループのアラーム１１に決定される。すなわち、上述の制御回路１５は、一のグループの中から一のアラーム音声データを選択する。
【００３０】
また、アラーム音声データが前回Ｂグループのアラーム１１に決定された場合において、上記計測結果が、例えば１００秒であったとき、アラーム音声データは、Ｃグループのアラーム３０に決定される。すなわち、制御回路１５は、前回選択したアラーム音声データが属さない情報群の中から情報を選択する。これにより、更に、前回出力されたアラーム音声と同じアラーム音声が出力されることを防止することができる。選択されたアラーム音声データは、上記ＲＡＭに格納（セット）される。なお、初期設定においては、所定のアラーム音声データ（例えば、アラーム１）が選択され、上記ＲＡＭに格納（セット）されている。
【００３１】
つぎに、制御回路１５のＣＰＵ１６の制御動作について、図４および図５に示すフローチャートを参照して説明する。なお、図において「Ｓ」は、ステップを意味する。
【００３２】
まず、使用者は、使用する場合（例えば、就寝前）に、アラームセットスイッチ１２をＯＮにするとともに、アラーム時刻設定スイッチ１１を操作して所望のアラーム時刻にセットする。ＣＰＵ１６は、この状態で計時回路１９が計時する時刻およびアラーム時刻が一致、すなわち、アラーム時刻になったか否かを判別する（Ｓ１０）。この判別が“ＹＥＳ”の場合、すなわち、アラーム時刻になった場合はＳ２０に移り、“ＮＯ”の場合、すなわち、アラーム時刻になっていない場合はこのまま待機する。
【００３３】
ついで、計時回路１９が計時する時刻が設定したアラーム時刻に達すると、ＣＰＵ１６は、前回セットされたアラーム音声データをＲＡＭ１８から読出す（Ｓ２０）。つぎに、読出したアラーム音声データに基づいてアラーム報知を開始する（Ｓ３０）。すなわち、スピーカ９からアラーム音声が出力されるように音声出力回路２５を制御する。つぎに、時間計測部２１へ時間計測開始信号を送信し、時間計測部２１に時間計測を開始させる（Ｓ４０）。
【００３４】
つぎに、ＣＰＵ１６は、停止スイッチ７が操作されたか否かを判別する（Ｓ５０）。この判別が“ＹＥＳ”の場合、すなわち、停止スイッチ７が操作された場合はＳ６０に移り、“ＮＯ”の場合、すなわち、停止スイッチ７が操作されていない場合はこのまま待機する。つぎに、停止スイッチ７が操作されると、アラーム報知を終了する（Ｓ６０）。すなわち、スピーカ９からアラーム音声が出力されないように音声出力回路２５を制御する。つぎに、時間計測部２１へ時間計測終了信号を送信し、時間計測部２１に時間計測を終了させ（Ｓ７０）、後に図５を参照して説明するアラーム音声データ決定処理を行う（Ｓ８０）。ここで決定されたアラーム音声データを次回のアラーム音声としてセットし（Ｓ９０）、Ｓ１０に移る。
【００３５】
次に、図５を参照して、アラーム音声データ決定処理について説明する。まず、ＣＰＵ１６は、現在セットされているアラーム音声データはＡグループに属するか、すなわち、アラーム１〜アラーム１０のいずれかであるか否かを判別する（Ｓ１００）。この判別が“ＹＥＳ”の場合、すなわち、アラーム１〜アラーム１０のいずれかである場合はＳ１１０に移り、“ＮＯ”の場合、すなわち、アラーム１〜アラーム１０のいずれかでない場合はＳ１２０に移る。Ｓ１１０では、Ｂグループの中から時間計測結果に基づいてアラーム音声データを決定（選択）する。この後、Ｓ９０に移る。
【００３６】
つぎに、Ｓ１２０では、ＣＰＵ１６は、現在セットされているアラーム音声データはＢグループに属するか、すなわち、アラーム１１〜アラーム２０のいずれかであるか否かを判別する。この判別が“ＹＥＳ”の場合、すなわち、アラーム１１〜アラーム２０のいずれかである場合はＳ１３０に移り、“ＮＯ”の場合、すなわち、アラーム１１〜アラーム２０のいずれかでない場合はＳ１４０に移る。Ｓ１３０では、Ｃグループの中から時間計測結果に基づいてアラーム音声データを決定する。この後、Ｓ９０に移る。
【００３７】
次に、Ｓ１４０では、ＣＰＵ１６は、現在セットされているアラーム音声データはＣグループに属するか、すなわち、アラーム２１〜アラーム３０のいずれかであるか否かを判別する。この判別が“ＹＥＳ”の場合、すなわち、アラーム２１〜アラーム３０のいずれかである場合はＳ１５０に移り、“ＮＯ”の場合、すなわち、アラーム２１〜アラーム３０のいずれかでない場合はＳ１６０に移る。Ｓ１５０では、Ｄグループの中から時間計測結果に基づいてアラーム音声データを決定する。この後、Ｓ９０に移る。
【００３８】
次に、Ｓ１６０では、ＣＰＵ１６は、現在セットされているアラーム音声データはＤグループに属するか、すなわち、アラーム３１〜アラーム４０のいずれかであるか否かを判別する。この判別が“ＹＥＳ”の場合、すなわち、アラーム３１〜アラーム４０のいずれかである場合はＳ１７０に移り、“ＮＯ”の場合、すなわち、アラーム３１〜アラーム４０のいずれかでない場合はＳ１８０に移る。Ｓ１７０では、Ｅグループの中から時間計測結果に基づいてアラーム音声データを決定する。この後、Ｓ９０に移る。Ｓ１８０では、Ａグループの中から時間計測結果に基づいてアラーム音声データを決定する。この後、Ｓ９０に移る。
【００３９】
このように、次回のアラーム時刻におけるアラーム報知でアラーム音声が異なるものに変更されるため、前回と同じアラーム音声が出力されることによる「馴れ」が生じ難い。
【００４０】
上記実施の形態では、アラーム音声データは、Ａグループ，Ｂグループ，Ｃグループ，Ｄグループ，Ｅグループの順番に、そのグループに属するアラーム音声データの中から決定（選択）されたが、これに限定するものではなく、グループを任意の順番に設定することもできる。例えば、Ｃグループ，Ａグループ，Ｅグループ，Ｄグループ，Ｂグループの順番に、その中からアラーム音声データが決定されるようにしてもよい。
【００４１】
また、上記実施の形態では、グループごとに同じ時間間隔でアラーム音声データが設けられているが、これに限定するものではなく、グループごとに異なる時間間隔でアラーム音声データを設けてもよい。具体的には、グループＡ，Ｂ，Ｃ，Ｄ，Ｅに属するアラーム音声データは、それぞれ概ね１０秒の時間間隔で対応して設けられているが、グループごとに異なる時間間隔でアラーム音声データを対応させてもよい。例えば、グループＡは概ね３秒間隔、グループＢは概ね５秒間、グループＣは概ね７秒間、グループＤは概ね８秒間、グループＥは概ね１０秒間にしてもよい。これにより、使用者の「慣れ」を一層防止することができる。
【００４２】
また、上記実施の形態では、前述の制御手段は、一のグループの中から一のアラーム音声データを選択するようになっているが、これに限定するものではなく、複数のグループの中から一のアラーム音声データを選択するようにしてもよい。例えば、アラーム１、アラーム１１、アラーム２１、アラーム３１、アラーム４１は同じ時間間隔であるため、前述の計測結果が、例えば１０秒であったとき、グループＡおよびグループＢのアラーム１とアラーム１１を選択し、これらのアラーム音声データを組み合わせてアラーム音声として出力するようにしてもよい。
【００４３】
この場合の組み合わせは、略同時（同時を含む）にアラーム音声として出力するようにしてもよい。この場合、アラーム音声が調和することが望ましい。例えば、アラーム１は高音のアラーム音声に関するアラーム音声データ、アラーム１１は低音のアラーム音声に関するアラーム音声データにしてもよいし、アラーム１はリズムに関するアラーム音声データ、アラーム１１はメロディに関するアラーム音声データの組み合わせ等にしてもよい。
【００４４】
また、上記アラーム音声データの組み合わせとして、いわゆるメドレーのように時間をずらしてアラーム音として出力するようにしてもよい。これにより、アラーム音声データの量を増やすことなくアラーム音の種類を増すことができるため、前述の音声記憶部等のコスト削減を行うことができる。また、アラーム音の面白みが一層増すため、使用者の「慣れ」を一層防止することができる。
【００４５】
また、上記実施の形態では、前述のスピーカは一つであるが複数設けてもよい。これにより、アラーム音の表現力が増し、使用者の「慣れ」を一層防止することができる。
【００４６】
また、上記実施の形態では、前述の制御手段は、前述の音声記憶部からアラーム音声データを選択しているが、これに限定するものではなく、アラーム音声データを記憶した記憶媒体からアラーム音声データを読み取り可能な読取手段を設け、そのアラーム音声データの中からアラーム音声データを選択するようにしてもよい。上記記憶媒体として、フラッシュメモリ、コンパクトディスク、ＤＶＤ（デジタル・バーサタイル・ディスク）、フレキシブルディスク等を用いてもよい。
【００４７】
また、外部（インターネット等）からのアラーム音声データを受信する受信手段と、その受信したアラーム音声データを格納する格納手段を設けてもよい。この場合、格納手段として前述の音声記憶部を採用してもよいし、音声記憶部とは別に読み書き可能な記憶手段（不揮発性メモリ等）を設けてもよい。また、受信したアラーム音声データを音声記憶部内で更新するようにしてもよいし、音声記憶部内に追加できるようにしてもよい。この場合、音声記憶部として読み書き可能な記憶手段を採用することが望ましい。
【００４８】
また、上記実施の形態では、据置型の目覚時計に本発明を施したが、これに限られず、目覚まし時計の機能を有する腕時計、携帯電話、オーディオ、テレビジョン、パーソナルコンピュータ等の各種機器に用いてもよい。
【００４９】
【発明の効果】
以上のように、本発明の目覚時計では、制御手段は、時間計測手段の計測結果に基づいて記憶手段に記憶された複数の情報の中から少なくとも一の情報を選択し、当該選択結果に基づいて次回のアラームにおける出音手段の制御を行う。したがって、出力されるアラーム音を操作者が任意に選択することができないため、毎回同じアラーム音が出力されることによる「馴れ」を防止することができる。また、アラーム音の出力と略同時期から停止操作手段が操作されるまでの時間が計測され、その計測結果に基づいてアラーム音が出力されるため、出力されるアラーム音を変更することができる。
【図面の簡単な説明】
【図１】本発明の目覚時計の一実施の形態を示す斜視図であり、（ａ）は正面から見た斜視図、（ｂ）は背面から見た斜視図である。
【図２】上記目覚時計のシステム構成図である。
【図３】アラーム音声データ決定テーブルを示す図である。
【図４】本発明の目覚時計の制御回路の制御動作を示すフローチャートである。
【図５】アラーム音声データ決定処理を示すフローチャートである。
【符号の説明】
１    目覚時計
２    時計本体ケース
３    文字盤
４    時計軸
５ａ  分針
５ｂ  時針
６    アラーム時刻表示針
７    停止スイッチ
８    放音口
９    スピーカ
１０    時刻設定スイッチ
１１    アラーム時刻設定スイッチ
１２    アラームセットスイッチ
１５    制御回路
１６    ＣＰＵ
１７    ＲＯＭ
１８    ＲＡＭ
１９    計時回路
２０    時刻表示部
２１    時間計測部
２３    音声記憶部
２５    音声出力回路
２７    出音手段
【図１】
2004340776.tif 000003
【図２】
2004340776.tif 000004
【図３】
2004340776.tif 000005
【図４】
2004340776.tif 000006
【図５】
2004340776.tif 000007